(57)【特許請求の範囲】
【請求項１】
記録を実行する記録面を備える記録部と、
被記録媒体をセット面にセットするセットトレイと、
前記記録部に対して前記セットトレイを記録実行のため第１の方向に相対移動する移動機構と、
前記記録面と前記セット面との間隔を調整可能な調整部と、を備え、
前記セットトレイに前記被記録媒体をセットするためのセット動作位置は、前記記録部の記録領域から前記第１の方向に離れており、
前記間隔を調整する方向における前記記録面の位置に対応する目印を備えることを特徴とする記録装置。
【請求項２】
記録を実行する記録面を備える記録部と、
被記録媒体をセット面にセットするセットトレイと、
前記記録部に対して前記セットトレイを記録実行のため第１の方向に相対移動する移動機構と、
前記記録面と前記セット面との間隔を調整可能な調整部と、を備え、
前記セットトレイに前記被記録媒体をセットするためのセット動作位置は、前記記録部に対して前記第１の方向に移動した位置であり、
前記間隔を調整する方向における前記記録面の位置に対応する目印を備えることを特徴とする記録装置。
【請求項３】
請求項１又は２に記載の記録装置において、前記目印は前記セット動作位置にある前記セットトレイと前記記録部との間に設けられていることを特徴とする記録装置。
【請求項４】
請求項３に記載の記録装置において、前記目印は、前記間隔を調整する方向に沿って設けられ前記セットトレイよりも幅が広い板部材に、設けられていることを特徴とする記録装置。
【請求項５】
請求項４に記載の記録装置において、前記板部材の前記間隔を調整する方向における頂辺が前記目印を兼ねていることを特徴とする記録装置。
【請求項６】
請求項１又は２に記載の記録装置において、  前記目印を有する板部材を備え、
前記板部材の前記間隔を調整する方向における頂辺が前記目印を兼ねていることを特徴とする記録装置。
【請求項７】
請求項１又は２に記載の記録装置において、変位可能なアームを備え、前記目印は前記アームに設けられていることを特徴とする記録装置。
【請求項８】
記録を実行する記録面を備える記録部と、被記録媒体をセット面にセットするセットトレイとを備え、前記セットトレイに前記被記録媒体をセットするためのセット動作位置は、前記記録部の記録領域から第１の方向に離れている記録装置の記録方法であって、
前記セット動作位置において、当該記録装置に設けられ前記記録面と前記セット面との間隔を調整する方向における前記記録面の位置に対応する目印に対応して、前記間隔を調整する工程を有することを特徴とする記録方法。
【請求項９】
記録を実行する記録面を備える記録部と、被記録媒体をセット面にセットするセットトレイとを備え、前記セットトレイに前記被記録媒体をセットするためのセット動作位置は、前記記録部に対して前記第１の方向に移動した位置である記録装置の記録方法であって、
前記セット動作位置において、当該記録装置に設けられ前記記録面と前記セット面との間隔を調整する方向における前記記録面の位置に対応する目印に対応して、前記間隔を調整する工程を有することを特徴とする記録方法。
【発明の詳細な説明】
【技術分野】
【０００１】
本発明は、被記録媒体に対して記録を行う記録装置及び記録方法に関する。
【背景技術】
【０００２】
従来から、様々な厚さの被記録媒体に対して記録することが可能な記録装置が使用されている。このような記録装置では、被記録媒体の種類に応じて、被記録媒体をセットするセットトレイの高さ又は記録部の記録面（記録ヘッドのインク吐出面など）の高さを調整する必要がある。この調整を行わないと、記録部の記録面と被記録媒体の被記録面との距離（以下、「ＰＧ」と言う）が適切な距離とならず所望の記録画像を得られない場合がある。さらには、これらが接触し記録部及び被記録媒体を傷つけてしまう場合がある。
【０００３】
例えば、特許文献１には、ＰＧを所定の距離に調整する技術が開示されている。特許文献１には、記録ヘッドによる記録方向の先行側に布帛の被記録面に接する接触子を備え、この接触子の高さに応じて記録ヘッドの高さを調整する記録装置が開示されている。
【０００４】
一方、様々な厚さの被記録媒体に記録を行う記録装置には、被記録媒体をセットするためのセットトレイに被記録媒体をセットする際、ＰＧを所定の距離にするために、記録ヘッドのインク吐出面の高さを基準にしてセットトレイの高さを目視で調整する構造のものがある。
【０００５】
また、様々な厚さの被記録媒体に記録を行う記録装置には、被記録媒体をセットトレイにセットする位置（以下、「セット動作位置」と言う）が記録ヘッドから離れた位置に設けられている構造のものがある。
【先行技術文献】
【特許文献】
【０００６】
【特許文献１】特開２００６−２３９８６６号公報
【発明の概要】
【発明が解決しようとする課題】
【０００７】
特許文献１に開示されている記録装置は、被記録媒体の被記録面を基準にして接触子を介して記録ヘッドの高さを調整する構造であり、インク吐出面の高さを基準にしてセットトレイの高さを目視で調整することに関する記載はない。即ち、被記録媒体をセットトレイにセットする際、インク吐出面の高さを基準にしてセットトレイの高さを目視で調整することは意図されていない。
【０００８】
また、セット動作位置が記録ヘッドから離れた位置に設けられている記録装置においては、被記録媒体をセットする際の目視でのセットトレイの高さ調整が特に困難となる。それは記録ヘッドのインク吐出面の高さを基準としてセットトレイの高さを調整しようとしても、記録ヘッドが離れているため精度の高い調整が困難となるためである。
【０００９】
そこで、本発明の目的は、被記録媒体をセットトレイにセットする位置が記録部から離れた位置に設けられている記録装置であっても、所定のＰＧとなるように、高い精度でセットトレイの位置を目視で調整可能にすることである。
【課題を解決するための手段】
【００１０】
上記課題を解決するための本発明の第１の態様に係る記録装置は、記録を実行する記録面を備える記録部と、被記録媒体をセット面にセットするセットトレイと、前記記録部に対して前記セットトレイを記録実行のため第１の方向に相対移動する移動機構と、前記記録面と前記セット面との間隔を調整可能な調整部とを備え、前記セットトレイに前記被記録媒体をセットするためのセット動作位置は、前記記録部の記録領域から前記第１の方向に離れており、前記間隔を調整する方向における前記記録面の位置に対応する目印を備えることを特徴とする。
【００１１】
ここで「相対移動」とは、記録部に対してセットトレイを移動する構造だけでなく、セットトレイに対して記録部を移動させる構造、更に両者を移動する構造も含む意味で使われている。また、「記録部」とは、記録を実行することができる手段を意味し、後述の実施例で説明するインクジェット用の記録ヘッドに限定されず、例えば転写式の記録装置の転写部なども含まれる。
【００１２】
本態様によれば、記録部の記録面とセットトレイのセット面との間隔を調整する際に、記録部の記録面（インク吐出面等）ではなく、該記録面の位置に対応する目印を基準とすることができる。このため、被記録媒体をセットトレイにセットする位置（セット動作位置）が、作業性の観点で記録部から離れた位置に設けられている記録装置であっても、記録部の記録面とセットトレイのセット面との間隔を高い精度で調整可能である。
【００１３】
本発明の第２の態様に係る記録装置は、記録を実行する記録面を備える記録部と、被記録媒体をセット面にセットするセットトレイと、前記記録部に対して前記セットトレイを記録実行のため第１の方向に相対移動する移動機構と、前記記録面と前記セット面との間隔を調整可能な調整部と、を備え、前記セットトレイに前記被記録媒体をセットするためのセット動作位置は、前記記録部に対して前記第１の方向に移動した位置であり、前記間隔を調整する方向における前記記録面の位置に対応する目印を備えることを特徴とする。
【００１４】
本態様によれば、記録部の記録面とセットトレイのセット面との間隔を調整する際に、記録部の記録面ではなく、記録面の位置に対応する目印を基準とすることができる。このため、被記録媒体をセットトレイにセットする位置が、作業性の観点で記録部から遠ざかるように移動して離れた位置に設けられている記録装置であっても、記録部の記録面とセットトレイのセット面との間隔を高い精度で調整可能である。
【００１５】
本発明の第３の態様に係る記録装置は、前記第１又は第２の態様において、前記目印は前記セット動作位置にある前記セットトレイと前記記録部との間に設けられていることを特徴とする。
【００１６】
本態様によれば、目印は記録部よりもセットトレイの近くに位置するので、記録面とセット面との間隔の調整が容易である。
【００１７】
本発明の第４の態様に係る記録装置は、前記第３の態様において、前記目印は、前記間隔を調整する方向に沿って設けられ前記セットトレイよりも幅が広い板部材に、設けられていることを特徴とする。
【００１８】
被記録媒体としてＴシャツ等の布帛を用いた場合、該布帛をセットトレイにセットした状態においてセット面からはみ出た部分がそのはみ出し量の大きさによっては該セットトレイの周囲に位置する他の構成部材の領域にまで入り込む虞がある。
【００１９】
本態様によれば、当該板部材は前記記録部とセットトレイとの間に位置し、且つセットトレイよりも幅が広いので、前記はみ出し部分が前記領域にまで入り込む虞を低減することができる。そして、当該板部材は、前記「入り込む虞」を低減する役割を果たしつつ、前記記録部の記録面と前記セットトレイのセット面との間隔を調整する際の目印を設ける場所の提供の役割も果たすことができる。
【００２０】
本発明の第５の態様に係る記録装置は、前記第４の態様において、前記板部材の前記間隔を調整する方向における頂辺が前記目印を兼ねていることを特徴とする。
【００２１】
本態様によれば、前記板部材の前記頂辺が前記目印を兼ねているので、当該目印兼用構造の板部材を製造しておき、該板部材を前記記録部とセットトレイとの間に設けることによって同時に当該目印を設けることが可能になる。よって、目印を別途設ける工程を不要にすることが可能となり、以って記録装置を組立てる際の作業効率を良くすることができる。
【００２２】
また、当該板部材はセットトレイの幅よりも長いので、当該頂辺すなわち目印もセットトレイの幅よりも長くなる。従って、当該目印はセットトレイの幅方向の全体に亘って存在することになり、記録部の記録面とセットトレイのセット面との間隔を調整する際、セットトレイの幅方向の全体に亘って精度良く調整することができる。
【００２３】
本発明の第６の態様に係る記録装置は、前記第１又は第２の態様において、前記目印は当該記録装置の外装部に設けられることを特徴とする。
【００２４】
本態様によれば、別途新たな部材を設けることなく、容易に目印を設けることができる。また、外装部に設けることで、視認性の良い目印を提供することができる。
【００２５】
本発明の第７の態様に係る記録装置は、前記第１又は第２の態様において、移動可能なアームを備え、前記目印は前記アームに設けられていることを特徴とする。
【００２６】
ここで、「移動可能」とは、回動、揺動及びスライドなど特にその移動方法は限定されることなく、移動することが可能であることを意味している。
【００２７】
本態様によれば、目印が設けられたアームを進出移動させることによって、記録面とセット面との間隔を調整する際にのみ用い、それ以外のときはアームを退避移動させて収容しておくことが可能になる。
【００２８】
本発明の第８の態様に係る記録方法は、記録を実行する記録面を備える記録部と、被記録媒体をセット面にセットするセットトレイとを備え、前記セットトレイに前記被記録媒体をセットするためのセット動作位置は、前記記録部の記録領域から第１の方向に離れている記録装置の記録方法であって、前記セット動作位置において、当該記録装置に設けられた目印に対応して、前記記録面と前記セット面との間隔を調整する工程を有することを特徴とする。
【００２９】
本態様によれば、被記録媒体をセットトレイにセットする位置が記録部から離れた位置に設けられている記録装置を用いても、所定のＰＧとなるように、高い精度でセットトレイの高さを目視で調整可能にすることができる。
【００３０】
本発明の第９の態様に係る記録方法は、記録を実行する記録面を備える記録部と、被記録媒体をセット面にセットするセットトレイとを備え、前記セットトレイに前記被記録媒体をセットするためのセット動作位置は、前記記録部に対して前記第１の方向に移動した位置である記録装置の記録方法であって、前記セット動作位置において、当該記録装置に設けられた目印に対応して、前記記録面と前記セット面との間隔を調整する工程を有することを特徴とする。
【００３１】
本態様によれば、被記録媒体をセットトレイにセットする位置が移動を伴うほど記録部から離れた位置に設けられている記録装置を用いても、所定のＰＧとなるように、高い精度でセットトレイの高さを目視で調整可能にすることができる。
【図面の簡単な説明】
【００３２】
【図１】本発明の実施例１に係る記録装置の概略斜視図。
【図２】本発明の実施例１に係る記録装置の概略側面図。
【図３】本発明の実施例１に係る記録装置の概略側面図。
【図４】本発明の実施例１に係る記録装置の概略側面図。
【図５】本発明の被記録媒体の一例を示す斜視図。
【図６】本発明の実施例１に係る記録装置の概略側面図。
【図７】本発明の実施例２に係る記録装置の概略側面図。
【図８】本発明の実施例３に係る記録装置の概略斜視図。
【図９】本発明の実施例４に係る記録装置の概略斜視図。
【図１０】本発明の実施例５に係る記録装置の概略側面図。
【発明を実施するための形態】
【００３３】
以下に、本発明の実施例に係る記録装置について、添付図面を参照して詳細に説明する。
【００３４】
下記の実施例では、いずれも記録装置として記録ヘッドからインクを吐出して記録を行うインクジェット記録装置を用いて説明しているが、本発明はインクジェット記録装置に限定されるわけではない。例えば、本発明は転写式の記録装置なども含む。
【００３５】
また、本発明の記録装置は、記録部に対してセットトレイを相対移動する移動機構を備えるものである。下記の実施例ではいずれも記録部に対してセットトレイを移動する移動機構の記録装置を用いて説明しているが、本発明の記録装置にはセットトレイを移動させずに記録部を移動させて記録を行うものも含まれる。更に両者を移動する構造の記録装置も含まれる。
【００３６】
また、下記の実施例ではいずれも被記録媒体として布帛であるＴシャツを用いて説明しているが、本発明で使用可能な被記録媒体はＴシャツに限定されず布帛に限定されるわけでもない。例えば、本発明で使用可能な被記録媒体にはパネルボード等のリジッドタイプの被記録媒体も含まれる。
【００３７】
［実施例１］（図１−図６）
図１は、本発明の実施例１に係る記録装置の概略斜視図である。  
本実施例の記録装置１は、図１に示すように、被記録媒体Ｐ（図５参照）をセットするセット面７を備えたセットトレイ４を備えている。移動機構としての搬送部３は、第１の方向としての搬送方向Ａにセットトレイ４を移動することにより被記録媒体Ｐを搬送する。なお、搬送部３は、セットトレイ４を移動する際、セットトレイ４の高さを維持した状態で移動する。
【００３８】
装置本体２には、記録部としての記録ヘッド６が備えられている。記録装置１は、キャリッジ５を介して搬送方向Ａと交差する走査方向Ｂに記録ヘッド６を往復移動させながら、記録ヘッド６から被記録媒体Ｐにインクを吐出させて所望の画像を形成する。なお、この走査方向Ｂに記録ヘッド６を往復移動させながら記録を行う際のインク吐出面Ｆに対向する領域が記録領域Ｒ（図２参照）である。
【００３９】
なお、本実施例の記録装置１では、セットトレイ４に被記録媒体Ｐをセットする際のセット動作位置Ｌ１（図３参照）と記録を開始する際の記録開始位置Ｌ２（図４参照）とが異なる。後述するが、本実施例の記録装置１は、図１においては、セット動作位置Ｌ１は手前側であり、記録開始位置Ｌ２は奥側である。本実施例の記録装置１は、手前側のセット動作位置Ｌ１で被記録媒体Ｐがセットされた後、奥側の記録開始位置Ｌ２まで一度セットトレイ４を移動する。そして、奥側の記録開始位置Ｌ２から手前側にセットトレイ４を移動しながら記録を行う。
【００４０】
つまり、セット動作位置Ｌ１は、記録ヘッド６の記録領域から搬送方向Ａに離れている。別の表現をすると、セット動作位置Ｌ１は、記録ヘッド６に対して搬送方向Ａに所定距離移動した位置である。なお、図１の記録装置１における左下が手前側であり、右上が奥側である。
【００４１】
セットトレイ４は、支持機構９を介して、搬送部３のガイドテーブル８に支持されている。支持機構９には、セットトレイ４のセット面７の高さを調整するための目印Ｓを有する板部材１０が取付けられている。該板部材１０の上辺即ち頂辺Ｔは、セットトレイ４のセット面７の高さを調整するための目印Ｓを兼ねている。
【００４２】
この板部材１０の頂辺Ｔの高さは、記録ヘッド６の記録面であるインク吐出面Ｆの高さに対応している。本実施例では、インク吐出面Ｆの高さと板部材１０の頂辺Ｔの高さとの差が所望のＰＧとなるよう構成されている。図１において、インク吐出面Ｆは記録ヘッド６の下面に構成されている。なお、本実施例では目印Ｓの高さが前記所望のＰＧとなる高さに設定されている。
【００４３】
しかし、例えば、目印Ｓの位置をインク吐出面Ｆの高さそのものに合わせるなど、記録部の記録面の位置に対応する位置であれば、別の基準で目印Ｓの位置を設定しても構わない。なお、目印Ｓの位置をインク吐出面の高さそのものに合わせた記録装置１は、板部材１０が記録ヘッド６の走査領域に侵入する際に記録ヘッド６が板部材１０と接触しないように退避可能な構成にすることが好ましい。あるいは、目印Ｓの位置をインク吐出面の高さそのものに合わせた記録装置１は、記録ヘッド６と対向しない位置に目印Ｓが設けられる構成にすることが好ましい。
【００４４】
図２は、本発明の実施例１に係る記録装置の概略側面図である。  
セットトレイ４は、支持機構９に設けられた調整部としての高さ調整レバー１１をユーザーが回すことによりセット面７の高さ調整が可能である。なお、本実施例の高さ調整レバー１１は、無段階に高さを調整することが可能であるが、段階的に高さを調整可能な調整部を用いてもよい。インク吐出面Ｆの高さと板部材１０の頂辺（目印Ｓ）の高さとの差を表す間隔ｍは、所望のＰＧとなるよう構成されている。
【００４５】
本実施例では、板部材１０は、支持機構９の基部に取り付けられているため、高さ調整レバー１１を回しても高さは変化しない。また、記録ヘッド６の高さも一定である。  
なお、記録ヘッドの高さを調整可能にし、記録ヘッドの高さ調整に連動して目印の高さが変動する構成にしても構わない。
【００４６】
本実施例では、インク吐出面Ｆとセット面７との間隔を調整する方向は高さ方向である。ただし、インク吐出面Ｆとセット面７との間隔を調整する方向が高さ方向と異なる記録装置も本発明の記録装置に含まれる。
【００４７】
図３は、本発明の実施例１に係る記録装置の概略側面図であり、セット動作位置Ｌ１にセットトレイ４がある状態を示している。
【００４８】
本実施例の記録装置１において、セット動作位置Ｌ１は図１における手前側である。セット動作位置Ｌ１でセットトレイ４に被記録媒体Ｐをセットした後、搬送部３はＡ１方向に記録開始位置Ｌ２までセットトレイ４を移動する。なお、セットトレイ４と目印Ｓとの距離Ｄ１は短い方が好ましい。被記録媒体Ｐの被記録面１２（図５参照）を目印Ｓに合わせることが容易になるためである。少なくともセット動作位置Ｌ１における距離Ｄ１は、セット動作位置Ｌ１におけるセットトレイ４と記録ヘッド６との距離Ｄ２よりも短いことが好ましい。
【００４９】
図４は、本発明の実施例１に係る記録装置の概略側面図であり、記録開始位置Ｌ２にセットトレイ４がある状態を示している。
【００５０】
本実施例の記録装置１において、記録を開始する際のセットトレイ４の位置は、図１における奥側である。記録を開始する際、セットトレイ４は、図３に示されるセット動作位置Ｌ１から図４に示される記録開始位置Ｌ２まで搬送部３によって移動される。記録装置１は、図４に示される記録開始位置Ｌ２までセットトレイ４を移動した後、Ａ２方向にセットトレイ４を移動しながら記録を行う。
【００５１】
図５は、本発明の被記録媒体の一例を示す斜視図（Ａ）と、該被記録媒体をセットトレイ４にセットした状態の斜視図（Ｂ）である。
【００５２】
図５（Ａ）は本実施例の被記録媒体ＰとしてのＴシャツである。この被記録媒体Ｐを図５（Ｂ）のように、セットトレイ４のセット面７の上部にセットする。本実施例では、このセットトレイ４にセットされた被記録媒体Ｐの被記録面１２と、目印Ｓを構成する板部材１０の頂辺の高さとが合うように調整する。具体的には、目印Ｓを基準にして、ユーザーが高さ調整レバー１１を回して目視で調整する。
【００５３】
図６は、本実施例においてセットトレイ４のセット面７の高さが調整された様子を示す記録装置の概略側面図である。
【００５４】
ユーザーが高さ調整レバー１１を回してセットトレイ４のセット面７の高さを調整することにより、被記録媒体Ｐの被記録面１２の高さは、目印Ｓとしての板部材１０の頂辺の高さに合わされている。このようにセット面７の高さを調整することによって、被記録面１２とインク吐出面との距離は所望のＰＧである間隔と等しくなる。
【００５５】
本実施例では、目印Ｓを有する板部材１０がセットトレイ４の近傍に設けられている。このため、被記録媒体Ｐの被記録面１２と目印Ｓの高さが比較しやすい。ただし、本発明はこのような構成に限られない。様々な厚さの被記録媒体に記録を行う記録装置は、被記録媒体のセット位置が記録ヘッドの位置から離れている場合が多い。本実施例の記録装置１はこのような記録装置である場合でも容易に高精度で被記録媒体Ｐの高さ調整を行うことができる。
【００５６】
また、本実施例では、セット動作位置Ｌ１におけるセットトレイ４と記録ヘッド６との間に目印Ｓを有する板部材１０が設けられている。このため、記録装置１の正面から被記録媒体Ｐの被記録面１２と目印Ｓの高さを比較できるので両者の比較が容易である。ただし、本発明はこのような構成に限られない。
【００５７】
また、板部材１０は、セット動作位置Ｌ１におけるセットトレイ４と記録ヘッド６との間に、インク吐出面Ｆとセット面７との間隔を調整する方向としての高さ方向に沿って設けられている。また、板部材１０は、セットトレイ４よりも幅が広い。このため、被記録媒体Ｐの一部が装置本体２に入り込まない効果及び装置本体２に対する目隠し効果がある。  
ただし、本発明はこのような構成に限られず、例えばメッシュ状の板部材を用いてもよく、板部材の形状や素材に限定はない。
【００５８】
また、本実施例の記録装置１は、インク吐出面Ｆとセット面７との間隔を調整する方向における板部材１０の頂辺が目印Ｓを兼ねているので、目印を設けるために新たな部材を設ける必要がない。  
ただし、本発明は板部材１０の頂辺が目印Ｓを兼ねている構成に限られない。例えば、板部材１０の頂辺を低くし、該板部材１０から目印Ｓを有する部材を進退あるいは回動させて、前記調整工程では目印として機能させ、調整が済んだら退避させておく構造等であってもよい。
【００５９】
［実施例２］（図７）
図７は、本発明の実施例２に係る記録装置の概略側面図である。  
なお、実施例１と共通する構成部材は同じ符号で示しており、詳細な説明は省略する。
【００６０】
本実施例の記録装置１は、セットトレイ４の下部に被記録媒体Ｐのうち、記録を行わない部分を収容するための収容トレイ１３を備えている。板部材１０は、底辺が収容トレイ１３に一体に繋がっており、頂辺がセットトレイ４のセット面７の高さを調整する目印Ｓを兼ねている。板部材１０は、セット動作位置におけるセットトレイ４と記録ヘッド６との間に、インク吐出面Ｆとセット面７との間隔を調整する方向に沿って設けられている。また、板部材１０は、セットトレイ４よりも幅が広い。
【００６１】
収容トレイ１３は支持機構９の基部に取り付けられており、セットトレイ４の移動時には、収容トレイ１３及び板部材１０はセットトレイ４と一体的に移動する。
【００６２】
本実施例の記録装置１は、実施例１の記録装置が有する効果の他に、以下の効果が得られる。  
セットトレイ４の下部に収容トレイ１３を備える構成であるため、記録を行わない部分が多い被記録媒体Ｐに対してもセット処理が容易に行え、被記録媒体Ｐを周囲の構造部材によって汚損される、或いは巻き込まれる虞を低減できる。
【００６３】
また、本実施例の記録装置１は、板部材１０は底辺が収容トレイ１３に繋がっている。このため、収容トレイ１３に収容された被記録媒体の一部が装置本体２に入り込まない効果及び装置本体２に対する目隠し効果が実施例１の記録装置よりも大きい。
【００６４】
［実施例３］（図８）
図８は、本発明の実施例３に係る記録装置の概略斜視図である。  
なお、実施例１と共通する構成部材は同じ符号で示しており、詳細な説明は省略する。
【００６５】
本実施例の記録装置１は、被記録媒体Ｐの被記録面１２の高さを合わせるための三角形状の目印Ｓを記録装置１の外装部に設けている。なお、目印Ｓはセット動作位置の近傍の外装部に設けられている。様々な厚さの被記録媒体に記録を行う記録装置は、セット動作位置が記録ヘッドの位置から離れている構成が多く、これに伴い外装部も記録ヘッドの位置からセット動作位置の近傍まで張り出している構成が多い。  
本実施例の記録装置１は、このような記録装置である場合に、目印を設けるために新たな部材を設けることなく、容易に目印を設けることができ、以ってセットトレイ４の高さ調整を精度良く行うことができる。
【００６６】
［実施例４］（図９）
実施例３では目印Ｓとして塗装により構成した三角形の目印としたが、本発明の記録装置はこのような形状及び構成方法には限定されない。例えば、図９に示したように、目印としての水平方向の線を塗装又は印刷などで記録装置の外装部に設けてもよい。また、色の異なる部材を組み合わせるなどして目印を記録装置の外装部に設けてもよい。
【００６７】
［実施例５］（図１０）
図１０は、本発明の実施例５に係る記録装置の概略側面図である。  
なお、実施例１と共通するものは同じ符号で示しており、詳細な説明は省略する。
【００６８】
本実施例の記録装置１は、支持機構９に基端部が接続され、自由端がＣの方向に回動可能なアーム１４をセットトレイ４の側面近くに備えている。アーム１４は、セットトレイ４のセット面７の高さを調整するための目印Ｓを有し、アーム１４の先端部（自由端）が目印Ｓを兼ねている。アーム１４は、Ｃの方向に回動可能となっているため、セットトレイ４の高さを調整するときのみアーム１４を鉛直方向に立て、セットトレイ４の高さ調整の終了に伴いアーム１４を水平方向に寝かせて退避させることができる。
【００６９】
本実施例の記録装置１は、被記録媒体Ｐの搬送方向Ａに対してセットトレイ４の側面近くに１本のアーム１４が設けられているが、本発明はこのような構成に限られない。他の場所に移動可能なアームが設けられていても構わないし、移動可能なアームが複数個所設けられていても構わない。  
また、本実施例の記録装置１は、アーム１４の先端部がセットトレイ４のセット面７の高さを調整するための目印Ｓを兼ねているが、アーム１４に目印を付す構成であっても構わない。  
さらに、本実施例の記録装置１のアーム１４は回動可能な構造であるが、スライド移動可能な構造でも構わない。
【００７０】
上記の実施例１〜５で示したような本発明の記録装置を用いて、セット動作位置において、記録装置１に設けられた目印Ｓに対応して、記録面としてのインク吐出面Ｆとセット面７との間隔を調整する。こうすることで、様々な厚さの被記録媒体に対して、所定のＰＧで記録することが可能になる。
【符号の説明】
【００７１】
１  記録装置、２  装置本体、３  搬送部、４  セットトレイ、５  キャリッジ、
６  記録ヘッド、７  セット面、  ８ガイドテーブル、９  支持機構、
１０  板部材、１１  高さ調整レバー、１２  被記録面、１３  収容トレイ、
１４  アーム、Ｄ１  セットトレイと目印との距離、
Ｄ２  セット動作位置におけるセットトレイと記録ヘッドとの距離、
Ｆ  インク吐出面、Ｌ１  セット動作位置、Ｌ２  記録開始位置、ｍ  間隔、
Ｐ  被記録媒体、Ｒ  記録領域、Ｓ  目印、Ｔ  頂辺
【図１】
0006004162.tif 000002
【図２】
0006004162.tif 000003
【図３】
0006004162.tif 000004
【図４】
0006004162.tif 000005
【図５】
0006004162.tif 000006
【図６】
0006004162.tif 000007
【図７】
0006004162.tif 000008
【図８】
0006004162.tif 000009
【図９】
0006004162.tif 000010
【図１０】
0006004162.tif 000011